(57)【要約】【課題】  装置の状態を管理する管理用プロセッサ１３を搭載したディスクアレイ装置において、管理用プロセッサ１３の動作環境温度及び稼動時間に関する信頼性を向上させ、さらにディスクアレイ装置内の温度環境に悪影響を及ぼさない実装を実現する。【解決手段】  管理用プロセッサ１３に専用の産業用ＰＣを用いると共に、管理用プロセッサ１３と、この管理用プロセッサ１３の管理情報の出力に用いられる出力用コンピュータ１４と、を分離させた構成とする。さらに、ディスクアレイ筐体２内では、管理用プロセッサ１３及び出力用コンピュータ１４を、ディスクアレイ筐体２内の通風の流れを妨げない位置に配置する。ここで出力用コンピュータ１４を使用するときには、ディスクアレイ筐体２から出力用コンピュータ１４を引き出し、さらにこれを回転させて使用する形態とする。【選択図】  図２   
2005166100.tif 000002
【特許請求の範囲】
【請求項１】
内部に筐体が配置されるディスクアレイ筐体と、
データを格納する複数のディスクドライブが通風用の間隔を隔ててマトリックス状に配置される第１のディスクドライブ筐体と、
データを格納する複数のディスクドライブが通風用の間隔を隔ててマトリックス状に配置される第２のディスクドライブ筐体と、
前記第１のディスクドライブ筐体内の複数のディスクドライブ及び前記第２のディスクドライブ筐体内の複数のディスクドライブに対するデータの書き込みまたは読み出しを制御する複数のディスクアダプタボードと、上位装置に接続され、前記上位装置からデータを受ける複数の上位アダプタボードと、前記上位アダプタボード及び前記ディスクアダプタボードから書き込みまたは読み出しされるデータ及び制御情報を保存する複数のメモリボードと、を有して構成され、前記複数のディスクアダプタボード、前記複数の上位アダプタボード及び前記複数のメモリボードが通風用の間隔を隔てて配置されるコントローラ筐体と、
前記コントローラ筐体内の前記複数のディスクアダプタボード、前記複数の上位アダプタボード及び前記複数のメモリボードに接続され、前記複数のディスクアダプタボード、前記複数の上位アダプタボード及び前記複数のメモリボードに関する管理情報を収集して管理する産業用ＰＣによりなる管理用プロセッサと、
前記管理用プロセッサによって管理される前記管理情報の出力に用いられる出力用コンピュータと、
前記コントローラ筐体内を経由した通風、及び前記第１のディスクドライブ筐体及び前記第２のディスクドライブ筐体内を経由した通風を、前記ディスクアレイ筐体外に排気する排気用ファンと、
前記第１のディスクドライブ筐体内の複数のディスクドライブ、前記第２のディスクドライブ筐体内の複数のディスクドライブ、前記コントローラ筐体内の前記複数のディスクアダプタボード、前記複数の上位アダプタボード及び前記複数のメモリボード、前記管理用プロセッサ、前記出力用コンピュータ及び前記排気用ファンに対して電力を供給する電源装置と、
を有し、
前記ディスクアレイ筐体は、
前記電源装置からの通風を妨げる通風遮断板を介して前記電源装置の上方に、前記コントローラ筐体が配置され、
前記コントローラ筐体の上方において、前記第１のディスクドライブ筐体と前記第２のディスクドライブ筐体との間に前記コントローラ筐体内を経由した通風が通過する流路を隔てて、前記第１のディスクドライブ筐体及び前記第２のディスクドライブ筐体が配置され、
前記第１のディスクドライブ筐体内の複数のディスクドライブの間の通風用の間隔を妨げることがないように、前記第１のディスクドライブ筐体の側面に、前記管理用プロセッサが配置され、
前記第２のディスクドライブ筐体内の複数のディスクドライブの間の通風用の間隔を妨げることがないように、前記第２のディスクドライブ筐体の側面に、前記出力用コンピュータが引き出し可能に配置され、
前記第１のディスクドライブ筐体及び前記第２のディスクドライブ筐体の上方に、前記排気用ファンが配置されるものであり、
前記出力用コンピュータは、
前記管理情報を出力して利用される場合に、前記ディスクアレイ筐体から引き出され、前記第２のディスクドライブ筐体側に回転されて利用されるものである
ことを特徴とするディスクアレイ装置。
【請求項２】
内部に筐体が配置されるディスクアレイ筐体と、
データを格納する複数のディスクドライブが通風用の間隔を隔ててマトリックス状に配置されるディスクドライブ筐体と、
前記ディスクドライブ筐体内の複数のディスクドライブに対するデータの書き込みまたは読み出しを制御する複数のディスクアダプタボードと、上位装置に接続され、前記上位装置からデータを受ける複数の上位アダプタボードと、前記上位アダプタボード及び前記ディスクアダプタボードから書き込みまたは読み出しされるデータ及び制御情報を保存する複数のメモリボードと、を有して構成され、前記複数のディスクアダプタボード、前記複数の上位アダプタボード及び前記複数のメモリボードが通風用の間隔を隔てて配置されるコントローラ筐体と、
前記コントローラ筐体内の前記複数のディスクアダプタボード、前記複数の上位アダプタボード及び前記複数のメモリボードに接続され、前記複数のディスクアダプタボード、前記複数の上位アダプタボード及び前記複数のメモリボードに関する管理情報を収集して管理する産業用ＰＣによりなる管理用プロセッサと、
前記管理用プロセッサによって管理される前記管理情報の出力に用いられる出力用コンピュータと、
前記コントローラ筐体内を経由した通風、及び前記ディスクドライブ筐体内を経由した通風を、前記ディスクアレイ筐体外に排気する排気用ファンと、
前記ディスクドライブ筐体内の複数のディスクドライブ、前記コントローラ筐体内の前記複数のディスクアダプタボード、前記複数の上位アダプタボード及び前記複数のメモリボード、前記管理用プロセッサ、前記出力用コンピュータ及び前記排気用ファンに対して電力を供給する電源装置と、
前記ディスクアレイ筐体の正面側に取り付けられ、前記ディスクアレイ筐体を開閉するフロントドアと、
を有し、
前記ディスクアレイ筐体は、前記コントローラ筐体及び前記電源装置が配置される第１のディスクアレイ筐体と、前記ディスクドライブ筐体が配置される第２のディスクアレイ筐体と、により構成され、
前記第１のディスクアレイ筐体は、
前記電源装置の上方に、前記コントローラ筐体が配置され、
前記コントローラ筐体内の前記複数のディスクアダプタボード、前記複数の上位アダプタボード及び前記複数のメモリボードの間の通風用の間隔を妨げることがないように、前記コントローラ筐体の側面に、前記管理用プロセッサが配置され、
前記コントローラ筐体内の前記複数のディスクアダプタボード、前記複数の上位アダプタボード及び前記複数のメモリボードの間の通風用の間隔を妨げることがないように、前記フロントドアの裏面側に、前記出力用コンピュータが回転可能に配置され、
前記コントローラ筐体の上方に、前記排気用ファンが配置され、
前記第２のディスクアレイ筐体は、
前記ディスクドライブ筐体の上方に、前記排気用ファンが配置されるものであり、
前記出力用コンピュータは、
前記管理情報を出力して利用される場合に、前記フロントドアを開いた状態で、前記フロントドアに対し回転されて利用されるものである
ことを特徴とするディスクアレイ装置。
【請求項３】
内部に筐体が配置されるディスクアレイ筐体と、
データを格納する複数のディスクドライブが通風用の間隔を隔ててマトリックス状に配置されるディスクドライブ筐体と、
前記ディスクドライブ筐体内の複数のディスクドライブに対するデータの書き込みまたは読み出しを制御する複数のディスクアダプタボードと、上位装置に接続され、前記上位装置からデータを受ける複数の上位アダプタボードと、前記上位アダプタボード及び前記ディスクアダプタボードから書き込みまたは読み出しされるデータ及び制御情報を保存する複数のメモリボードと、を有して構成され、前記複数のディスクアダプタボード、前記複数の上位アダプタボード及び前記複数のメモリボードが通風用の間隔を隔てて配置されるコントローラ筐体と、
前記コントローラ筐体内の前記複数のディスクアダプタボード、前記複数の上位アダプタボード及び前記複数のメモリボードに接続され、前記複数のディスクアダプタボード、前記複数の上位アダプタボード及び前記複数のメモリボードに関する管理情報を収集して管理する産業用ＰＣによりなる管理用プロセッサと、
前記管理用プロセッサによって管理される前記管理情報の出力に用いられる出力用コンピュータと、
前記コントローラ筐体内を経由した通風、及び前記ディスクドライブ筐体内を経由した通風を、前記ディスクアレイ筐体外に排気する排気用ファンと、
前記ディスクドライブ筐体内の複数のディスクドライブ、前記コントローラ筐体内の前記複数のディスクアダプタボード、前記複数の上位アダプタボード及び前記複数のメモリボード、前記管理用プロセッサ、前記出力用コンピュータ及び前記排気用ファンに対して電力を供給する電源装置と、
を有し、
前記ディスクアレイ筐体は、
前記ディスクドライブ筐体内の通風の流れを妨げることがない位置に、前記管理用プロセッサ及び前記出力用コンピュータが配置され、
前記出力用コンピュータは、
前記管理情報を出力して利用される場合に、前記ディスクアレイ筐体から引き出され、さらに回転されて利用されるものである
ことを特徴とするディスクアレイ装置。
【請求項４】
前記出力用コンピュータは、
スライドレールを備えた引き出し機構によって引き出し可能とされた構成である
ことを特徴とする請求項３に記載のディスクアレイ装置。
【請求項５】
前記出力用コンピュータは、
前記スライドレールに対し回転可能に設けられた台座に載置支持された構成である
ことを特徴とする請求項４に記載のディスクアレイ装置。
【請求項６】
前記ディスクアレイ筐体は、
前記電源装置からの通風を妨げる通風遮断板を介して前記電源装置の上方に、前記コントローラ筐体が配置された構成である
ことを特徴とする請求項３に記載のディスクアレイ装置。
【請求項７】
前記ディスクドライブ筐体は、第１のディスクドライブ筐体と第２のディスクドライブ筐体とにより構成され、
前記ディスクアレイ筐体は、
前記コントローラ筐体の上方において、前記第１のディスクドライブ筐体と前記第２のディスクドライブ筐体との間に前記コントローラ筐体内を経由した通風が通過する流路を隔てて、前記第１のディスクドライブ筐体及び前記第２のディスクドライブ筐体が配置された構成である
ことを特徴とする請求項６に記載のディスクアレイ装置。
【請求項８】
前記ディスクアレイ筐体は、
前記第１のディスクドライブ筐体の側面に、前記管理用プロセッサが配置され、
前記第２のディスクドライブ筐体の側面に、前記出力用コンピュータが引き出し可能に配置された構成である
ことを特徴とする請求項７に記載のディスクアレイ装置。
【請求項９】
前記ディスクアレイ筐体は、
前記第１のディスクドライブ筐体と前記第２のディスクドライブ筐体の上方に、前記排気用ファンが配置された構成である
ことを特徴とする請求項８に記載のディスクアレイ装置。
【請求項１０】
内部に筐体が配置されるディスクアレイ筐体と、
データを格納する複数のディスクドライブが通風用の間隔を隔ててマトリックス状に配置されるディスクドライブ筐体と、
前記ディスクドライブ筐体内の複数のディスクドライブに対するデータの書き込みまたは読み出しを制御する複数のディスクアダプタボードと、上位装置に接続され、前記上位装置からデータを受ける複数の上位アダプタボードと、前記上位アダプタボード及び前記ディスクアダプタボードから書き込みまたは読み出しされるデータ及び制御情報を保存する複数のメモリボードと、を有して構成され、前記複数のディスクアダプタボード、前記複数の上位アダプタボード及び前記複数のメモリボードが通風用の間隔を隔てて配置されるコントローラ筐体と、
前記コントローラ筐体内の前記複数のディスクアダプタボード、前記複数の上位アダプタボード及び前記複数のメモリボードに接続され、前記複数のディスクアダプタボード、前記複数の上位アダプタボード及び前記複数のメモリボードに関する管理情報を収集して管理する産業用ＰＣによりなる管理用プロセッサと、
前記管理用プロセッサによって管理される前記管理情報の出力に用いられる出力用コンピュータと、
前記コントローラ筐体内を経由した通風、及び前記ディスクドライブ筐体内を経由した通風を、前記ディスクアレイ筐体外に排気する排気用ファンと、
前記ディスクドライブ筐体内の複数のディスクドライブ、前記コントローラ筐体内の前記複数のディスクアダプタボード、前記複数の上位アダプタボード及び前記複数のメモリボード、前記管理用プロセッサ、前記出力用コンピュータ及び前記排気用ファンに対して電力を供給する電源装置と、
前記ディスクアレイ筐体の正面側に取り付けられ、前記ディスクアレイ筐体を開閉するフロントドアと、
を有し、
前記ディスクアレイ筐体は、
前記ディスクドライブ筐体内の通風の流れを妨げることがない位置に、前記管理用プロセッサ及び前記出力用コンピュータが配置され、
前記出力用コンピュータは、
前記フロントドアの裏面側に回転可能に配置され、前記管理情報を出力して利用される場合に、前記フロントドアを開いた状態で、前記フロントドアに対し回転されて利用されるものである
ことを特徴とするディスクアレイ装置。
【請求項１１】
前記出力用コンピュータは、
前記フロントドアに対し回転可能に設けられた台座に載置支持された構成である
ことを特徴とする請求項１０に記載のディスクアレイ装置。
【請求項１２】
前記ディスクアレイ筐体は、前記コントローラ筐体及び前記電源装置が配置される第１のディスクアレイ筐体と、前記ディスクドライブ筐体が配置される第２のディスクアレイ筐体と、により構成され、
前記第１のディスクアレイ筐体は、
前記電源装置の上方に、前記コントローラ筐体が配置され、
前記コントローラ筐体の上方に、前記排気用ファンが配置され、
前記第２のディスクアレイ筐体は、
前記ディスクドライブ筐体の上方に、前記排気用ファンが配置された構成である
ことを特徴とする請求項１０に記載のディスクアレイ装置。
【請求項１３】
前記第１のディスクアレイ筐体は、
前記コントローラ筐体及び前記電源装置の側面に、前記管理用プロセッサが配置された構成である
ことを特徴とする請求項１２に記載のディスクアレイ装置。
【請求項１４】
前記第１のディスクアレイ筐体は、
前記電源装置と前記コントローラ筐体との間に、前記管理用プロセッサが配置された構成である
ことを特徴とする請求項１２に記載のディスクアレイ装置。
【請求項１５】
上記管理用プロセッサは、その筐体に通風用の穴が設けられた構成である
ことを特徴とする請求項１４に記載のディスクアレイ装置。
【請求項１６】
前記第１のディスクアレイ筐体は、
前記電源装置の下側に、前記管理用プロセッサが配置された構成である
ことを特徴とする請求項１２に記載のディスクアレイ装置。
【請求項１７】
前記管理用プロセッサは、これを複数台設けて構成される
ことを特徴とする請求項１〜請求項１６の何れか１項に記載のディスクアレイ装置。
【請求項１８】
前記出力用コンピュータは、ノート型ＰＣにより構成される
ことを特徴とする請求項１〜請求項１７の何れか１項に記載のディスクアレイ装置。
【請求項１９】
前記管理用プロセッサと前記出力用コンピュータとは、ＬＡＮによって接続される
ことを特徴とする請求項１〜請求項１８の何れか１項に記載のディスクアレイ装置。
【請求項２０】
前記出力用コンピュータは、前記管理用プロセッサに対し着脱可能に構成される
ことを特徴とする請求項１〜請求項１９の何れか１項に記載のディスクアレイ装置。
【発明の詳細な説明】
【技術分野】
【０００１】
本発明は、データが格納される複数のディスクドライブを搭載し、これら複数のディスクドライブを制御して上位装置からのデータを書き込み又は上位装置へのデータの読み出しを行うようにしたディスクアレイ装置に関する。
【背景技術】
【０００２】
一般にディスクアレイ装置は、ディスクユニット部とディスクコントローラ部とを有して構成されている。ディスクユニット部は、ディスクドライブ筐体内に複数のディスクドライブが収容されてなり、この複数のディスクドライブにデータが格納される。ディスクコントローラ部は、ディスクアレイ装置の制御を司るための各種装置が搭載される部分であり、その装置としては、複数のディスクドライブに対するデータの書き込みまたは読み出しを制御するディスクアダプタボード、上位装置であるホストコンピュータからデータを受けるチャネルアダプタボード、このチャネルアダプタボード及びディスクアダプタボードから書き込みまたは読み出しされるデータ及び制御情報を保存するメモリボードなどがコントローラ筐体内に収容されている。
【０００３】
このようなディスクアレイ装置においては、ディスクアレイ装置内の状態を管理するための手段として、管理用プロセッサ(ＳＶＰ)が搭載される。即ちこの管理用プロセッサは、ディスクアレイ装置内のハードウェア及びソフトウェアの稼動状況をモニタリングし、外部にモニタリングした情報(エラー発生時の警告を含む)を発信して保守作業員に通知する機能、及びハードウェアの故障発生時の故障部品交換の際に、保守作業員が管理用プロセッサに保守交換作業開始・終了等の入力を行うことで、ディスクアレイ装置に保守手続開始・終了を知らせ、対応した状態を準備させる機能等を有するものである。
この管理用プロセッサを搭載したディスクアレイ装置としては、従来例えば下記の特許文献１に開示されるようなものがある。
【特許文献１】特開平７−２０９９４号公報
【発明の開示】
【発明が解決しようとする課題】
【０００４】
この管理用プロセッサとして従来のディスクアレイ装置では、市販のノート型ＰＣ(パーソナルコンピュータ)が使用されていた。しかしながら、この市販品のノート型ＰＣをディスクアレイ装置の管理用プロセッサとして使用する場合、次のような問題点があった。
【０００５】
即ち、管理用プロセッサはディスクアレイ装置内に配設されるため、動作環境温度が４０℃程度にまで上昇することがあり、市販品のノート型ＰＣの動作環境設定(３２℃程度まで)では、信頼性に問題がある。特に最近はディスクアレイ装置の大型化が進んでおり、ディスクアレイ装置が大型化するほど動作環境温度が上昇していくことが考えられるので、市販品のノート型ＰＣの信頼性の問題が益々大きくなってきている。
【０００６】
またディスクアレイ装置は、２４時間稼動を５〜７年続けるものであり、装置の一部である管理用プロセッサも同じ時間だけ稼動し続けなければならないが、市販品のノート型ＰＣは１日あたり５時間程度の使用を２〜３年続けることを仕様としているため、ディスクアレイ装置に搭載するのは仕様上厳しいものである。
【０００７】
さらに、市販品のノート型ＰＣは頻繁にモデルチェンジが行なわれるため、ディスクアレイ装置に搭載されるノート型ＰＣもモデルチェンジが必要となり(ノート型ＰＣの故障時に初出荷時のモデルが販売されていないことがある)、その度に新しいモデルのノート型ＰＣについて動作検証を行なわなければならない。
【０００８】
また、一般にディスクアレイ装置では排気用のファンを設けて装置内を冷却しているが、管理用プロセッサをディスクアレイ装置内の使い易い場所に実装しようとすると、管理用プロセッサが冷却風の流れの妨げてしまい、ディスクアレイ装置内の温度環境に悪影響を及ぼす結果となる。
【０００９】
本発明はこのような問題点に鑑みてなされたもので、装置内の状態を管理する管理用プロセッサを搭載したディスクアレイ装置において、管理用プロセッサの動作環境温度及び稼動時間に関する信頼性を向上させ、さらにディスクアレイ装置内の温度環境に悪影響を及ぼさない実装を実現することを目的とする。
【課題を解決するための手段】
【００１０】
上述の目的を達成するものとして本発明のディスクアレイ装置は、
内部に筐体が配置されるディスクアレイ筐体と、
データを格納する複数のディスクドライブが通風用の間隔を隔ててマトリックス状に配置されるディスクドライブ筐体と、
前記ディスクドライブ筐体内の複数のディスクドライブに対するデータの書き込みまたは読み出しを制御する複数のディスクアダプタボードと、上位装置に接続され、前記上位装置からデータを受ける複数の上位アダプタボードと、前記上位アダプタボード及び前記ディスクアダプタボードから書き込みまたは読み出しされるデータ及び制御情報を保存する複数のメモリボードと、を有して構成され、前記複数のディスクアダプタボード、前記複数の上位アダプタボード及び前記複数のメモリボードが通風用の間隔を隔てて配置されるコントローラ筐体と、
前記コントローラ筐体内の前記複数のディスクアダプタボード、前記複数の上位アダプタボード及び前記複数のメモリボードに接続され、前記複数のディスクアダプタボード、前記複数の上位アダプタボード及び前記複数のメモリボードに関する管理情報を収集して管理する産業用ＰＣによりなる管理用プロセッサと、
前記管理用プロセッサによって管理される前記管理情報の出力に用いられる出力用コンピュータと、
前記コントローラ筐体内を経由した通風、及び前記ディスクドライブ筐体内を経由した通風を、前記ディスクアレイ筐体外に排気する排気用ファンと、
前記ディスクドライブ筐体内の複数のディスクドライブ、前記コントローラ筐体内の前記複数のディスクアダプタボード、前記複数の上位アダプタボード及び前記複数のメモリボード、前記管理用プロセッサ、前記出力用コンピュータ及び前記排気用ファンに対して電力を供給する電源装置と、
を有し、
前記ディスクアレイ筐体は、
前記ディスクドライブ筐体内の通風の流れを妨げることがない位置に、前記管理用プロセッサ及び前記出力用コンピュータが配置され、
前記出力用コンピュータは、
前記管理情報を出力して利用される場合に、前記ディスクアレイ筐体から引き出され、さらに回転されて利用されるものとする。
【発明の効果】
【００１１】
本発明のディスクアレイ装置は、管理用プロセッサに専用の産業用ＰＣを使用したことで、動作環境温度に関する信頼性が向上し、また稼動時間についての信頼性も向上する。さらに本発明のディスクアレイ装置は、管理用プロセッサと、この管理用プロセッサの出力に用いられる出力用コンピュータと、を分離させた構成により、出力用コンピュータは、保守作業員がディスクアレイ装置の状態を見るときにのみ起動させればよいので、市販のノート型ＰＣでも稼動時間の問題がなく使用することができる。
そして本発明のディスクアレイ装置は、管理用プロセッサ及び出力用コンピュータを、ディスクアレイ筐体内の通風の流れを妨げない位置に配置した構成により、管理用プロセッサ及び出力用コンピュータがディスクアレイ装置内の温度環境に悪影響を及ぼすことはない。さらに出力用コンピュータは、ディスクアレイ筐体から引き出し、さらに回転させて使用するため、作業者にとって使い易い形態となる。
【発明を実施するための最良の形態】
【００１２】
以下、図面を参照しながら本発明の実施例について詳細に説明する。
図１は本発明による第１の実施例のディスクアレイ装置を正面側から見た斜視図、図２は同、背面側から見た斜視図、図３はディスクアレイ装置の主要回路構成を示すブロック図である。
【００１３】
このディスクアレイ装置１は、ディスクアレイ筐体２の内部にディスクユニット部３とディスクコントローラ部６とを有して構成されている。
ディスクユニット部３は、ディスクドライブ筐体内に複数(多数)のディスクドライブ５が収容されてなり、この複数のディスクドライブ５にデータが格納される。
ディスクコントローラ部６は、ディスクアレイ装置の制御を司るための各種装置が搭載される部分であり、その装置としては、複数のディスクドライブ５に対するデータの書き込みまたは読み出しを制御するディスクアダプタボード８、上位装置であるホストコンピュータ１２に接続され、このホストコンピュータ１２からデータを受ける上位アダプタボードとしてのチャネルアダプタボード９、このチャネルアダプタボード９及びディスクアダプタボード８から書き込みまたは読み出しされるデータ及び制御情報を保存するメモリボード１０、前記各ボード８，９，１０の間でデータを中継するスイッチボード１１などがコントローラ筐体内に収容されている。前記メモリボード１０には、キャッシュメモリ及び共有メモリが設けられており、ここでキャッシュメモリは、チャネルアダプタボード９及びディスクアダプタボード８から書き込みまたは読み出しされるデータが保存されるものであり、共有メモリは、チャネルアダプタボード９及びディスクアダプタボード８からメモリボード１０上のキャッシュメモリにデータを書き込みまたは読み出す場合に、データに関する情報(例えば、データの格納先のハードディスクドライブ、データを書き込んだことを示す情報等)が保存されるものである。
【００１４】
本例のディスクアレイ装置１では、図１及び図２で明らかな如く、ディスクユニット部３とディスクコントローラ部６は、ディスクアレイ筐体２の正面側と背面側とに対称的に配置されている。
即ち、ディスクドライブ筐体は、ディスクアレイ筐体２の背面側に配置される第１のディスクドライブ筐体４Ａと、ディスクアレイ筐体２の正面側に配置される第２のディスクドライブ筐体４Ｂと、により構成され、これら第１のディスクドライブ筐体４Ａと第２のディスクドライブ筐体４Ｂに夫々、前記複数のディスクドライブ５が、通風用の間隔を隔ててマトリックス状に配置されている。ここでディスクドライブ５は図１に示す如く、これを縦置きにした状態で横方向に多数並べて配列し、さらにこれを上下方向に多数段に配列したマトリックス形状に配置されており、各ディスクドライブの間には、ディスクドラ
イブ筐体内を流れる冷却風の通路となるように、所定の間隔が設けられている。
またコントローラ筐体は、ディスクアレイ筐体２の背面側に配置される第１のコントローラ筐体７Ａと、ディスクアレイ筐体２の正面側に配置される第２のコントローラ筐体７Ｂと、により構成され、これら第１のコントローラ筐体７Ａと第２のコントローラ筐体７Ｂに夫々、前記ディスクアダプタボード８、チャネルアダプタボード９、メモリボード１０及びスイッチボード１１が、通風用の間隔を隔てて複数配置されている。ここで各ボード８，９，１０，１１は図１に示す如く、これを垂直に立てた状態で横方向に並べて収納配置してあり、各ボードの間には、コントローラ筐体内を流れる冷却風の通路となるように、所定の間隔が設けられている。
【００１５】
第１のディスクドライブ筐体４Ａと第２のディスクドライブ筐体４Ｂは夫々前後面が開放し、さらに上下板部及び中間の仕切板部には随所に通気孔が形成されており、同様に第１のコントローラ筐体７Ａと第２のコントローラ筐体７Ｂも夫々前後面が開放し、上下板部には随所に通気孔が形成されており、何れも通気性の良好な構造となっている。
【００１６】
本例のディスクアレイ装置１では、ディスクアレイ筐体２内において第１のコントローラ筐体７Ａと第２のコントローラ筐体７Ｂの上方に第１のディスクドライブ筐体４Ａと第２のディスクドライブ筐体４Ｂが配置されており、ここで第１のディスクドライブ筐体４Ａと第２のディスクドライブ筐体４Ｂは、第１のコントローラ筐体７Ａと第２のコントローラ筐体７Ｂの間隔よりも大きな間隔を隔てて配置されている。このように第１のディスクドライブ筐体４Ａと第２のディスクドライブ筐体４Ｂの間隔を、第１のコントローラ筐体７Ａと第２のコントローラ筐体７Ｂの間隔よりも大きい構成としたことにより、ディスクアレイ筐体２内での冷却風の流れがスムーズになる。即ち、後述する排気用ファンの動作によって第１のディスクドライブ筐体４Ａと第２のディスクドライブ筐体４Ｂの間には、第１のコントローラ筐体７Ａ及び第２のコントローラ筐体７Ｂ内を経由した冷却風と、第１のディスクドライブ筐体４Ａ及び第２のディスクドライブ筐体４Ｂ内を経由した冷却風と、が合流して通るため、第１のディスクドライブ筐体４Ａと第２のディスクドライブ筐体４Ｂの間隔を、第１のコントローラ筐体７Ａと第２のコントローラ筐体７Ｂの間隔よりも大きくして、冷却風の通り道を充分に確保することにより、冷却風がスムーズに流れるようにしたものである。
【００１７】
ディスクアレイ筐体２は、正面側及び背面側が開放されており、その開放面からディスクドライブ部３の複数のディスクドライブ５及びコントローラ部６のディスクアダプタボード８、チャネルアダプタボード９、メモリボード１０及びスイッチボード１１の交換が行えるようになっている。
【００１８】
そしてこのディスクアレイ装置１では、装置内の状態を管理するための手段として、管理用プロセッサ(ＳＶＰ)１３が搭載されている。この管理用プロセッサ１３は、スイッチボード１１を介してディスクアダプタボード８、チャネルアダプタボード９及びメモリボード１０に接続され、これらディスクアダプタボード８、チャネルアダプタボード９及びメモリボード１０に関する情報を収集して管理するものである。
【００１９】
この管理用プロセッサ１３は、これが２台設けられており、一方の管理用プロセッサ１３Ａを主装置として常時使用し、他方の管理用プロセッサ１３Ｂを副装置として非常用に用いることで、信頼性を向上させている。
ここで使用される管理用プロセッサ１３は、一般のＰＣとは大きく異なり、このディスクアレイ装置用に特別にカスタマイズして設計製作された産業用ＰＣである。この産業用ＰＣは、その構成部品に高耐久性仕様の部品を使用し、動作環境温度設定が４０℃以上で、かつ稼動時間５〜７年を実現している。
【００２０】
このような産業用ＰＣによりなる管理用プロセッサ１３は、一般のＰＣに備えられているようなディスプレイやキーボードを有していない。そこで本例のディスクアレイ装置では、この管理用プロセッサ１３によって管理される管理情報の出力に用いられる出力用コンピュータが、管理用プロセッサ１３と分離して設けられている。この出力用コンピュータとしては、市販品のノート型ＰＣ１４が用いられ、このノート型ＰＣ１４のディスプレイに管理用プロセッサ１３から出力される管理情報を表示し、またこのノート型ＰＣ１４のキーボード及びマウス部から管理用プロセッサに指令を入力してディスクアレイ装置を操作する。
【００２１】
さらに本例のディスクアレイ装置１においては、第１のディスクドライブ筐体４Ａと第２のディスクドライブ筐体４Ｂの上方に位置してディスクアレイ筐体２の上面に、複数の排気用ファン１５が配置されている。
この排気用ファン１５は、ディスクアレイ筐体２内の空気を排気してディスクアレイ筐体２内を冷却するものであり、即ちこの排気用ファン１５が動作すると、図４に示すように、ディスクアレイ筐体２の正面側と背面側から吸気された空気が、通風となって第１のディスクドライブ筐体４Ａと第２のディスクドライブ筐体４Ｂ内、及び第１のコントローラ筐体７Ａと第２のコントローラ筐体７Ｂ内を経由して、ディスクアレイ筐体２内における冷却風の流れａとなり、その後ディスクアレイ筐体２の上方へと排気され、この冷却風の通風によってディスクアレイ筐体２内が効果的に冷却されるものである。
【００２２】
さらに本例のディスクアレイ装置１においては、ディスクアレイ筐体２の最下部に、電源装置１６が配置されている。この電源装置１６は、ディスクドライブ部３の複数のディスクドライブ５、ディスクコントローラ部６の複数のディスクアダプタボード８、複数のチャネルアダプタボード９、複数のメモリボード１０及び複数のスイッチボード１１、管理用プロセッサ１３、出力用コンピュータ１４及び排気用ファン１５に対して駆動電力である直流電圧を供給するものである。
【００２３】
この電源装置１６の上方においてディスクアレイ筐体２には、電源装置１６からの通風を妨げる通風遮断板１７が設けられており、即ちディスクアレイ筐体２は、この通風遮断板１７を介して電源装置１６の上方に第１のコントローラ筐体７Ａと第２のコントローラ筐体７Ｂが配置され、これによって電源装置１６の熱が第１のコントローラ筐体７Ａと第２のコントローラ筐体７Ｂ側に伝わりにくい構造となっている。
【００２４】
本例のディスクアレイ装置１は、装置内の状態を管理する管理用プロセッサ１３に専用の産業用ＰＣを使用したことにより、次のような利点がある。即ち、産業用ＰＣは動作環境温度設定が４０℃以上と一般のＰＣよりも高いため、高温となるディスクアレイ筐体２内での信頼性が向上する。また稼動時間も５〜７年と一般のＰＣに比べて長いので、稼動時間に関する信頼性も向上する。さらに本例のディスクアレイ装置では、管理用プロセッサ１３と、その出力に用いられるノート型ＰＣ(出力用コンピュータ)１４と、を分離させた構成により、ノート型ＰＣ１４は、保守作業員がディスクアレイ装置の状態を見るときにのみ起動させればよいので、市販のノート型ＰＣでも稼動時間の問題がなく使用することができ、また故障した場合には簡単に交換することができる。また、産業用ＰＣは稼動時間が５〜７年と長く設定されているため頻繁な保守交換は発生せず、モデルチェンジの影響を最小限にすることができる。
【００２５】
そして、特に本例のディスクアレイ装置１では、これら管理用プロセッサ１３とその出力用コンピュータであるノート型ＰＣ１４の実装において、ディスクアレイ筐体２内での通風性を考慮した配置構造が採用されている。
即ち、ディスクアレイ筐体２内では、第１のディスクドライブ筐体４Ａ及び第２のディスクドライブ筐体４Ｂとディスクアレイ筐体２との間にあるスペースを利用して、第１のディスクドライブ筐体４Ａの側面に沿うように、管理用プロセッサ１３(１３Ａ，１３Ｂ)が縦置き状態で配置されると共に、第２のディスクドライブ筐体４Ｂの側面に沿うように、管理用プロセッサ１３の出力用コンピュータであるノート型ＰＣ１４が縦置き状態で配置されている。ここで管理用プロセッサ１３は、２台を重ねた状態で取り付け板１８を介してディスクアレイ筐体２に固定支持され、ノート型ＰＣ１４は、引き出し機構１９を介してディスクアレイ筐体２に対し引き出し可能に配置されている。
【００２６】
このノート型ＰＣの引き出し機構１９は、ノート型ＰＣ１４を第２のディスクドライブ筐体４Ｂの側面の配置位置から引き出し、これをさらに第２のディスクドライブ筐体４Ｂ側に回転させて使用可能とする如く動作する。
この引き出し機構の詳細な構成を図５〜図８に示す。即ちこの引き出し機構１９は、ディスクアレイ筐体２に水平に固定される上下一対のスライドレール２０と、このスライドレール２０の可動側レールに固定される枠体２１と、この枠体２１にヒンジ部２２を支点としてスライドレールのスライド方向と直交する方向に回転可能に取り付けられた台座板２３と、により構成され、この台座板２３上に管理用プロセッサの出力用コンピュータであるノート型ＰＣ１４が固定状態で載置支持される。なお、この引き出し機構１９は、スライドレール２０を下側の１本のみとし、この１本のスライドレール２０に台座板２３を回転可能に取り付けた簡素な構造としてもよい。
【００２７】
そして、図５に示す収納状態では、ノート型ＰＣ１４は縦置き状態で収納配置されており、この状態から、枠体２１の前縁部に設けられた取手２４に手を掛けて、これを手前に引くことにより、図６に示す如くノート型ＰＣ１４は、スライドレール２０のスライドによってディスクアレイ筐体２から引き出される。その後、台座板２３の裏面側に設けられた取手２５に手を掛けて、図７に示すように台座板２３をディスクアレイ筐体２の前方の水平位置まで倒伏回転させることにより、ノート型ＰＣ１４は、台座板２３と共に回転して、ディスクアレイ筐体２の前方で使用可能な状態となる。
【００２８】
この状態から作業者は、図８に示す如く、ノート型ＰＣ１４のディスプレイ１４ａを開き、ノート型ＰＣ１４の電源をオンにして、ディスプレイ１４ａに管理用プロセッサ１３から出力される管理情報を表示させる。またこのノート型ＰＣ１４のキーボード１４ｂ及びマウス部１４ｃから管理用プロセッサ１３に指令を入力してディスクアレイ装置を操作する。ノート型ＰＣ１４の使用後は、これを再び図５の収納状態に戻し、通常の縦置きの配置状態とする。
【００２９】
このように本例のディスクアレイ装置１では、第１のディスクドライブ筐体４Ａの側面に沿って管理用プロセッサ１３を縦置き状態で配置し、第２のディスクドライブ筐体４Ｂの側面に沿って出力用コンピュータであるノート型ＰＣ１４を縦置き状態で配置した構成とすることにより、ディスクアレイ筐体２内での省スペース化を実現することができる。そして、管理用プロセッサ１３が第１のディスクドライブ筐体４Ａ内の複数のディスクドライブ５の間の通風用の間隔を妨げることがなく、またノート型ＰＣ１４が第２のディスクドライブ筐体４Ｂ内の複数のディスクドライブ５の間の通風用の間隔を妨げることもない。さらに、管理用プロセッサ１３及びノート型ＰＣ１４が第１のコントローラ筐体７Ａ及び第２のコントローラ筐体７Ｂ内の各ボード８，９，１０，１１の間の通風用の間隔を妨げることもない。従って、管理用プロセッサ１３及びノート型ＰＣ１４は、第１のディスクドライブ筐体４Ａと第２のディスクドライブ筐体４Ｂ内を通る冷却風、及び第１のコントローラ筐体７Ａと第２のコントローラ筐体７Ｂ内を通る冷却風の流れの妨げとなることがないので、ディスクアレイ装置内の温度環境に悪影響を及ぼすことはない。
【００３０】
そして、本例のディスクアレイ装置１では、ノート型ＰＣ１４を使用する際には、上述した如くノート型ＰＣ１４をディスクアレイ筐体２から引き出し、これをさらに回転させて使用する構成となっているので、保守作業者はディスクアレイ装置を正面に見ながら作業を行なうことができ、またノート型ＰＣ１４の使用後の収納も簡単に行なえるため、保守作業者にとって作業がし易く、使い勝手がよいものである。
【００３１】
次に、本例のディスクアレイ装置における管理用プロセッサ１３の周辺の配線について説明する。
図９は本例のディスクアレイ装置において、管理用プロセッサに関連する配線を正面側から見た斜視図、図１０は同、背面側から見た斜視図、図１１は接続図である。
【００３２】
本例のディスクアレイ装置において、管理用プロセッサ１３に関するデータ送受信系の接続は、全てＬＡＮ(ローカルエリアネットワーク)接続となっている。２台の管理用プロセッサ１３Ａ，１３Ｂは、ディスクアレイ筐体２の下部に配置される中継器２６を介して出力用コンピュータであるノート型ＰＣ１４にＬＡＮ接続されており、ここで２台の管理用プロセッサ１３Ａ，１３Ｂと中継器２６とは、夫々ＬＡＮケーブル４０，４１によって接続され、中継器２６とノート型ＰＣ１４とは、ＬＡＮケーブル４２によって接続されている。また、２台の管理用プロセッサ１３Ａ，１３Ｂは、夫々ＬＡＮケーブル４３，４４によってディスクコントローラ部のスイッチボード１１に接続されている。さらに２台の管理用プロセッサ１３Ａと１３Ｂは、ＬＡＮケーブル４５によって互いに接続されている。
一方、電源系接続としては、２台の管理用プロセッサ１３Ａ，１３Ｂは、夫々電源ケーブル４６，４７によって電源装置１６の出力ボード２７に接続され、ノート型ＰＣ１４は、電源装置１６に設けられたＰＣ用ブレーカーボックス２８に電源ケーブル４８によって接続されている。
【００３３】
ここでＬＡＮケーブル４０，４１，４２，４３，４４と電源ケーブル４６，４７，４８は、第１のコントローラ筐体７Ａ及び第２のコントローラ筐体７Ｂ内を通る冷却風の流れの妨げとなることがないように、第１のコントローラ筐体７Ａ及び第２のコントローラ筐体７Ｂの外表面に沿わせて配線してある。また、ＬＡＮケーブル４０，４１，４２，４３，４４と電源ケーブル４６，４７，４８は、できるだけ集束して配線することで、ディスクアレイ筐体２内を通る冷却風への影響を最小限に抑えるようにしている。
【００３４】
またこの構成では、ディスクアレイ筐体２内において、中継器２６及び電源装置の出力ボード２７が、管理用プロセッサ１３と反対の側に設けられている。即ち、図９で明らかな如く、ディスクアレイ筐体２内では正面側から見て上部左側に管理用プロセッサ１３が配置されているのに対し、中継器２６及び電源装置の出力ボード２７は下部右側に配置されている。このような配置構成により、ＬＡＮケーブル４０，４１，４２，４３，４４及び電源ケーブル４６，４７，４８はディスクアレイ筐体２の片側に集中することなく両側に分散して配線できるので、ディスクアレイ筐体２内を通る冷却風への影響を最小限に抑えることができる。なお、中継器２６及び電源装置の出力ボード２７は、管理用プロセッサ１３と同一の側に配置してもよい。この場合は、ＬＡＮケーブル４０，４１，４２，４３，４４及び電源ケーブル４６，４７，４８の長さを短くできるので、配線の煩わしさを軽減できる利点がある。
またこの構成では、中継器２６と電源装置の出力ボード２７が近接して配置されているので、この中継器２６と出力ボード２７に対するＬＡＮケーブル４０，４１，４２と電源ケーブル４６，４７の接続作業を効率よく行うことができる。さらに中継器２６は、ディスクアレイ筐体２の最下部に配置される電源装置１６の出力ボード２７に近接する位置に配置されていることにより、これと反対側に配置される管理用プロセッサ１３及びノート型ＰＣ１４との間でディスクアレイ筐体２内を流れる冷却風の妨げとなることはない。なお、中継器２６は、電源装置１６の出力ボード２７から離れた位置に配置してもよい。この場合、中継器２６は、例えばコントローラ筐体７Ａ，７Ｂの側面あるいはディスクドライブ筐体４Ａ，４Ｂの側面に配置することにより、ディスクアレイ筐体２内を流れる冷却風の妨げとなることはない。
【００３５】
さらに本例のディスクアレイ装置では、管理用プロセッサ１３とノート型ＰＣ１４の接続をＬＡＮ接続としたことにより、配線を簡単にできるので、ディスクアレイ装置の組み立て時及び修理時の配線作業が容易となる利点がある。
また管理用プロセッサ１３とノート型ＰＣ１４の接続をＬＡＮ経由としたことで、外部からの接続も容易に実現可能となる。この場合、管理用プロセッサ１３は、ディスクアレイ装置の外部において外部ＬＡＮ用のハブ２９，３０を介して複数の外部ＬＡＮに接続し、外部拠点の出力端末においてディスクアレイ装置の管理情報を出力して管理することができる。また管理用プロセッサにモデムを内蔵し、電話回線(ＩＳＤＮ回線)３１を通じてディスクアレイ装置の管理情報を外部拠点に通知することもできる。
【００３６】
なお、本例のディスクアレイ装置では、管理用プロセッサ１３に関するＬＡＮ接続にＬＡＮケーブルを用いているが、これを無線ＬＡＮによって構成してもよい。この場合、ディスクアレイ筐体２内の配線をさらに省略できるので、配線の煩わしさを大幅に解消することができる。
【００３７】
本例のディスクアレイ装置では、ノート型ＰＣ１４は管理用プロセッサ１３に常時接続されているが、これを管理用プロセッサ１３に対して着脱可能な構成とすることもできる。この場合、通常はノート型ＰＣ１４を取り外しておき、保守作業時にのみ作業員がノート型ＰＣ１４をＬＡＮによって管理用プロセッサ１３に接続するようにする。こうすることにより、高温のディスクアレイ筐体内にノート型ＰＣを搭載する必要がなくなるので、ノート型ＰＣの寿命を延ばすことができる効果がある。またこの場合、ノート型ＰＣをオプション化することにより、ディスクアレイ装置のコスト削減にも繋がる利点がある。
【００３８】
続いて、本発明の第２の実施例について説明する。
図１２は本発明の第２の実施例のディスクアレイ装置を示す斜視図である。
本例に示すディスクアレイ装置１は、２つのディスクアレイ筐体、即ち第１のディスクアレイ筐体２Ａと第２のディスクアレイ筐体２Ｂを有して構成されている。第１のディスクアレイ筐体２Ａと第２のディスクアレイ筐体２Ｂは、正面側が開放されており、その開放面を開閉するフロントドア３２Ａと３２Ｂが取り付けられている。このフロントドア３２Ａと３２Ｂは、左右に対称的に開く回動式のドアである。
【００３９】
第１のディスクアレイ筐体２Ａは、ディスクコントローラ部６を有し、第２のディスクアレイ筐体２Ｂは、ディスクユニット部３を有する。第１のディスクアレイ筐体２Ａのディスクコントローラ部６は、コントローラ筐体７内に、ディスクアダプタボード８、チャネルアダプタボード９、メモリボード１０及びスイッチボード１１が、通風用の間隔を隔てて複数配置されて構成される。第２のディスクアレイ筐体２Ｂのディスクユニット部３は、ディスクドライブ筐体４内に、複数のディスクドライブ５が、通風用の間隔を隔ててマトリックス状に配置されて構成される。なお、このディスクユニット部３を有する第２のディスクアレイ筐体２Ｂは、これを複数増設することができる。
【００４０】
ディスクドライブ筐体４は前後面が開放し、さらに上下板部及び中間の仕切板部には随所に通気孔が形成されており、同様にコントローラ筐体７も前後面が開放し、上下板部には随所に通気孔が形成されており、何れも通気性の良好な構造となっている。
【００４１】
第１のディスクアレイ筐体２Ａは、その下部に電源装置１６(主電源装置１６Ａ、補助用バッテリー１６Ｂ)が配置されており、この電源装置１６の上方にコントローラ筐体７が配置され、さらにこのコントローラ筐体７の上方において第１のディスクアレイ筐体２Ａの上面に複数の排気用ファン１５が配置された構成となっている。さらに第１のディスクアレイ筐体２Ａにおいては、電源装置１６の前方を覆うように、複数の吸気用ファン３３が配置されており、この吸気用ファン３３に対応してフロントドア３２Ａには、多数の通気孔３４が設けられている。
【００４２】
そして、この第１のディスクアレイ筐体２Ａにおいては、図１３に示す如く、吸気用ファン３３によって正面側から吸気された空気が、電源装置１６を経由して冷却風の流れａとなってコントローラ筐体７内を通過し、その後排気用ファン１５によって第１のディスクアレイ筐体２Ａの上方へと排気され、この冷却風の通風によって第１のディスクアレイ筐体２Ａ内が効果的に冷却されるものである。
【００４３】
一方、第２のディスクアレイ筐体２Ｂは、その最下部に複数の吸気用ファン３３が配置されており、この吸気用ファン３３の上方にディスクドライブ筐体４が配置され、さらにこのディスクドライブ筐体４の上方において第２のディスクアレイ筐体２Ｂの上面に複数の排気用ファン１５が配置された構成となっている。なお、この第２のディスクアレイ筐体２Ｂに配置される吸気用ファン３３に対応してフロントドア３２Ｂには、多数の通気孔３４が設けられている。
【００４４】
そして、この第２のディスクアレイ筐体２Ｂにおいては、吸気用ファン３３によって正面側から吸気された空気が、冷却風の流れとなってディスクドライブ筐体４内を通過し、その後排気用ファン１５によって第２のディスクアレイ筐体２Ｂの上方へと排気され、この冷却風の通風によって第２のディスクアレイ筐体２Ｂ内が効果的に冷却されるものである。
【００４５】
このように構成される本例のディスクアレイ装置では、第１のディスクアレイ筐体２Ａ内において、コントローラ筐体７及び電源装置１６と第１のディスクアレイ筐体２Ａとの間にあるスペースを利用して、管理用プロセッサ１３が実装されている。即ちこの場合、管理用プロセッサ１３は、コントローラ筐体７及び電源装置１６の側面に沿うように、２台の管理用プロセッサ１３Ａと１３Ｂを上下に並べて縦置き状態で配置してある。
【００４６】
一方、管理用プロセッサ１３の出力用コンピュータであるノート型ＰＣ１４は、第１のディスクアレイ筐体２Ａのフロントドア３２Ａに実装される。ここでノート型ＰＣ１４は、フロントドア３２Ａの裏面側に回転可能に取り付けられた台座板３５上に載置固定される。台座板３５は、支軸３６を中心に上下方向に回動され、この台座板３５が垂直になった状態でノート型ＰＣ１４は、フロントドア３２Ａの裏面側に沿った縦置き状態に収納配置される。通常は、フロントドア３２Ａが閉じた状態で、ノート型ＰＣ１４は、フロントドア３２Ａの裏面側で縦置き状態に収納されている。そして保守作業時には、フロントドア３２Ａを開いた状態で台座板３５を水平に倒伏回転させてノート型ＰＣ１４を使用可能な状態とする。
なお、本例のディスクアレイ装置において、ノート型ＰＣ１４の配置位置は、フロントドア３２Ａの通気孔３４を塞がない位置に設定する必要がある。
【００４７】
このように本例のディスクアレイ装置では、第１のディスクアレイ筐体２Ａにおいて、コントローラ筐体７及び電源装置１６の側面に沿って管理用プロセッサ１３を縦置き状態で配置した構成により、管理用プロセッサ１３がコントローラ筐体７内のディスクアダプタボード８、チャネルアダプタボード９、メモリボード１０及びスイッチボード１１の間の通風用の間隔を妨げることがなく、また電源装置１６の付近の通風の妨げとなることもない。またフロントドア３２Ａの裏面側に出力用コンピュータであるノート型ＰＣ１４を縦置きの収納状態となるように配置した構成により、ノート型ＰＣ１４がコントローラ筐体７内のディスクアダプタボード８、チャネルアダプタボード９、メモリボード１０及びスイッチボード１１の間の通風用の間隔を妨げることがなく、また電源装置１６の付近の通風の妨げとなることもない。従って、管理用プロセッサ１３及びノート型ＰＣ１４は、第１のディスクアレイ筐体２Ａ内を通る冷却風の流れの妨げとなることがないので、ディスクアレイ装置内の温度環境に悪影響を及ぼすことはない。
【００４８】
本例のディスクアレイ装置における管理用プロセッサ１３の周辺の配線は、上述した第１の実施例と同様である。ここで管理用プロセッサ１３とノート型ＰＣ１４とは、配線が簡単なＬＡＮによって接続されているため、ノート型ＰＣ１４は管理用プロセッサ１３から離れた位置でも容易に配置が可能である。例えば、図１４に示す如く、第２のディスクアレイ筐体２Ｂ側のフロントドア３２Ｂにノート型ＰＣ１４を配置した構成とすることもできる。
【００４９】
図１５は、管理用プロセッサの他の配置例を示す。
この例は、管理用プロセッサ１３を、第１のディスクアレイ筐体２Ａ内の中央部分に横置き状態で配置したものである。ここで管理用プロセッサ１３は、図１６に示す如く、電源装置１６とコントローラ筐体７との間のスペースに、２台の管理用プロセッサ１３Ａと１３Ｂを上下に重ねた状態で配置される。この場合、管理用プロセッサ１３は、第１のディスクアレイ筐体２Ａ内での冷却風の流れａの妨げとならないように、冷却風の流れの中心部を外れた前方に配置するものとする。
さらにこの例では、管理用プロセッサ１３の筐体の上下面に通風用の穴を設け、通気性を確保して、冷却風の流れの妨げとならないようにすることが望ましい。
【００５０】
図１７は、管理用プロセッサのさらに他の配置例を示す。
この例は、管理用プロセッサ１３を、第１のディスクアレイ筐体２Ａ内の最下部に横置き状態で配置したものである。ここで管理用プロセッサ１３は、図１８に示す如く、電源装置１６の下側のスペースに、２台の管理用プロセッサ１３Ａと１３Ｂを上下に重ねた状態で配置される。この場合、管理用プロセッサ１３は、第１のディスクアレイ筐体内２Ａでの冷却風の流れａの妨げとなることはないので、この配置が最も有効である。
【００５１】
以上、本発明の実施例について説明したが、本発明はこれらの実施例に限らず、本発明の要旨を逸脱することなくその他種々の構成を採り得るものであることは言うまでもない。
【図面の簡単な説明】
【００５２】
【図１】本発明による第１の実施例のディスクアレイ装置を正面側から見た斜視図である。
【図２】同、背面側から見た斜視図である。
【図３】ディスクアレイ装置の主要回路構成を示すブロック図である。
【図４】冷却風の流れの説明図である。
【図５】引き出し機構の構成を示す斜視図で、ノート型ＰＣが収納された状態である。
【図６】同、引き出した状態である。
【図７】同、回転させた状態である。
【図８】同、使用時の状態である。
【図９】管理用プロセッサに関連する配線を正面側から見た斜視図である。、図１０は、
【図１０】同、背面側から見た斜視図である。
【図１１】同、接続図である。
【図１２】本発明による第２の実施例のディスクアレイ装置を正面側から見た斜視図である。
【図１３】冷却風の流れの説明図である。
【図１４】ノート型ＰＣの他の配置例である。
【図１５】管理用プロセッサの他の配置例である。
【図１６】冷却風の流れの説明図である。
【図１７】管理用プロセッサのさらに他の配置例である。
【図１８】冷却風の流れの説明図である。
【符号の説明】
【００５３】
１…ディスクアレイ装置、２…ディスクアレイ筐体、２Ａ…第１のディスクアレイ筐体、２Ｂ…第２のディスクアレイ筐体、３…ディスクユニット部、４…ディスクドライブ筐体、４Ａ…第１のディスクドライブ筐体、４Ｂ…第２のディスクドライブ筐体、５…ディスクドライブ、６…ディスクコントローラ部、７…コントローラ筐体、７Ａ…第１のコントローラ筐体、７Ｂ…第２のコントローラ筐体、８…ディスクアダプタボード、９…チャネルアダプタボード(上位ボード)、１０…メモリボード、１１…スイッチボード、１２…ホストコンピュータ(上位装置)、１３(１３Ａ，１３Ｂ)…管理用プロセッサ、１４…ノート型ＰＣ(出力用コンピュータ)、１５…排気用ファン、１６…電源装置、１７…通風遮断板、１９…引き出し機構、２０…スライドレール、２３…台座板、３２Ａ，３２Ｂ…フロントドア、３５…台座板
【図１】
2005166100.tif 000003
【図２】
2005166100.tif 000004
【図３】
2005166100.tif 000005
【図４】
2005166100.tif 000006
【図５】
2005166100.tif 000007
【図６】
2005166100.tif 000008
【図７】
2005166100.tif 000009
【図８】
2005166100.tif 000010
【図９】
2005166100.tif 000011
【図１０】
2005166100.tif 000012
【図１１】
2005166100.tif 000013
【図１２】
2005166100.tif 000014
【図１３】
2005166100.tif 000015
【図１４】
2005166100.tif 000016
【図１５】
2005166100.tif 000017
【図１６】
2005166100.tif 000018
【図１７】
2005166100.tif 000019
【図１８】
2005166100.tif 000020